(57)【特許請求の範囲】
【請求項１】
外周面に多条溝状のローレット目が周設された一対の丸形ダイスが、回転軸を平行に配設されており、前記両丸形ダイスの間に円柱状の被加工物を配置して、この丸形ダイスを回転動しつつ前記被加工物方向に押圧動することにより、前記被加工物の外周面に網目、平目等のローレット模様域内に刻印表示する装置において、
前記各丸形ダイスの外周面には、前記被加工物の外周面上の所定個所を前記ローレット模様がない無模様部にすることとなる前記ローレット目の省略部が設けられていると共に、この省略部は、前記無模様部に、商標、商品番号、図柄など刻印表示する取外し可能な刻印板の配設手段を備えており、しかも前記ローレット加工時における両丸形ダイスと被加工物の周面接触回転動にあって、前記被加工物の所定個所と前記各丸形ダイスの無模様部を合致させるように、両丸形ダイスを同期回転させるようにしたことを特徴とするローレット模様域内に刻印表示する装置。
【請求項２】
ローレット目の省略部は、各丸形ダイスの外周面に穴を凹設することによる前記請求項１に記載のローレット模様域内に刻印する装置。
【請求項３】
穴には、刻印版の配設手段を設けていることを特徴とする前記請求項１または２に記載のローレット模様域内に刻印表示する装置。
【発明の詳細な説明】
【技術分野】
【０００１】
本発明は、締付け工具の円柱状把持部周面に滑り止めとして形成するローレット模様など、円柱状の被加工物の外周面にローレット加工を行なうもので、詳しくは、被加工物の外周面にローレット加工すると共に、ローレット模様域内にこのローレット模様が無い部分を設け、この無模様部に商標、品番や図柄などを刻印表示する装置に関するものである。
【背景技術】
【０００２】
締付け工具の円柱状把持部周面に滑り止めとして形成された網目状や平目状のローレット模様のごとく、円柱状の被加工物の外周面にローレット模様を加工する手段は、外周面に多条溝状のローレット目が周設された一対の丸形ダイスが回転軸を平行にした状態で配設されており、この両丸形ダイス間に被加工物を配置して、丸形ダイスを回転動すると共に、被加工物方向に押圧動することにより、被加工物の外周面にローレット模様を形成する公知の押転造による手段のほか、切削式手段などがある（参考として特許文献１、特許文献２、非特許文献３）。
【０００３】
【特許文献１】特開２００２−１４４１５６号公報
【０００４】
【特許文献２】特開２００２−３０７２５０号公報
【非特許文献１】岡野修一  他著  「図説機械用語事典増補版」、実教出版株式会社、２００１年１２月２０日、ｐ２８１，ｐ４７３
【発明の開示】
【発明が解決しようとする課題】
【０００５】
締付け工具の円柱状把持部などに形成されたローレット模様は、網目（あや目とも称される）や平目などの目の種類や、粗目、中目、細目など目の粗密による態様の違いはあるが、概ね所定の加工域全面にわたって施されている。
【０００６】
本発明は、円柱状の被加工物の外周面にローレット模様を形成すると同時に、ローレット模様域内にこの模様がない無模様部分を設けると共に、この無模様部分に商標や商品番号、図柄などを刻印表示する装置を提供するものである。
【課題を解決するための手段】
【０００７】
外周面に多条溝状のローレット目が周設された一対の丸形ダイスが、回転軸を平行に配設されており、前記両丸形ダイスの間に円柱状の被加工物を配置して、この丸形ダイスを回転動しつつ前記被加工物方向に押圧動することにより、前記被加工物の外周面に網目、平目等のローレット模様域内に刻印表示する装置において、前記各丸形ダイスの外周面には、前記被加工物の外周面上の所定個所を前記ローレット模様がない無模様部にすることとなる前記ローレット目の省略部が設けられていると共に、この省略部は、前記無模様部に、商標、商品番号、図柄など刻印表示する取外し可能な刻印板の配設手段を備えており、しかも前記ローレット加工時における両丸形ダイスと被加工物の周面接触回転動にあって、前記被加工物の所定個所と前記各丸形ダイスの無模様部を合致させるように、両丸形ダイスを同期回転させるようにしたことを基本的手段とする。
【発明の効果】
【０００８】
本発明における装置によれば、ローレット加工時における両丸形ダイスと被加工面の周面接触回転動にあって、両丸形ダイスの同期回転に伴ない、被加工物の外周面上の所定個所と合致する各丸形ダイスの外周面上の部位に、前記所定個所をローレット模様がない無模様部にすることとなるローレット目の省略部が設けられており、そしてこの省略部は、商標、商品番号や図柄などの刻印版が配設可能に構成され、一方の丸形ダイスに刻印版を配設固定して被加工物を加工すると、被加工物の外周面にローレット模様を形成すると共に、このローレット模様域内に商標などを刻印表示することができるのみか、図柄表示も可能であり、更に刻印版を取外した状態で加工することにより、ローレット模様域内に無模様個所が表出され、これが柄ともなるものであり、しかも所望の形状、大きさ、配置の刻印表示や無模様の形成も可能となるものである。
【実施例】
【０００９】
図は本発明に係るローレット模様域内に刻印表示する装置の実施例を示すもので、以下各図に基づき説明する。
【００１０】
この実施例におけるローレット加工装置は、締付け工具の把持部など円柱状の被加工物１の外周面にローレット模様を形成するもので、外周面に多条溝状のローレット目Ａが周設された一対の丸形ダイス２，３と、この両丸形ダイス２，３間に配設された被加工物１の支持台４とで概略構成されており、前記一対の丸形ダイス２，３は、互いの回転軸心２ａ，３ａを同一線上に配置させた態様で平行に配設され、支持台４上に載置した被加工物１の中心を両丸形ダイス２，３の軸心２ａ，３ａと同一線上に配列させた状態で、この丸形ダイス２，３を回転動すると共に、被加工物１方向に押圧動することにより、互いの周面が接触しながら回転動する過程において被加工物１の外周面にローレット加工するもので、ここでは、各丸形ダイス２，３の外周面に多数の斜目条溝によるローレット目Ａが周設されており、これにより被加工物１の外周面１ａには、網目（あや目とも称される）ローレット模様Ｂが形成される（図１、図２）。
【００１１】
そしてこのローレット加工装置にあっては、被加工物１の外周面１ａに、前記のごとくローレット模様Ｂを形成すると同時に、このローレット模様Ｂ域内の所定の個所に、ローレット模様Ｂがない無模様部１ｂを設けると共に、この無模様部１ｂに商標、品番や図柄などＣを刻印加工するもので、この実施例では、被加工物１の外周面１ａにおける円周上等位置となる２個所に前記刻印加工をするものである。
【００１２】
しかして、各丸形ダイス２，３には、被加工物１の円周寸法の２分の１の寸法Ｄをもって各丸形ダイス２，３の円周を等分割した外周面上の各部位、換言すれば、この丸形ダイス２，３の回転軸心２ａ，３ａを中心として等円弧角度となる外周面上の各部位に、方形の穴５が凹設されており、これにより各丸形ダイス２，３は、ローレット目Ａの周設域内に、このローレット目Ａが省略された省略部２ｂ，３ｂが形成される。
【００１３】
更にこの丸形ダイス２，３の一方端面には、各穴５方向に有底の挿入孔２ｃ，３ｃが穿設され、挿入孔２ｃ，３ｃと各穴５との間にネジ孔２ｄ，３ｄが設けられており、一方の丸形ダイス２の各穴５には、商標や品番、図柄などの刻印版６が、印面をローレット目Ａ面と同面とした状態で嵌め込まれ、挿入孔２ｃ，３ｃから挿入した止めネジ７によりネジ孔２ｄ，３ｄを介して固定されてなるもので（図３、４）、この両丸形ダイス２、３は、加工時にあって各丸形ダイス２，３に凹設された互いの穴５が同回転角度を維持しつつ回転動するように同期回転制御される。
【００１４】
そして、支持台４に被加工物１を載置して両丸形ダイス２，３を同期回転動すると共に、被加工物１方向に押圧動することにより、各丸形ダイス２，３に周設されたローレット目Ａにより被加工物１の外周面１ａにローレット模様Ｂ（この例では網目）が形成されると共に、一方の丸形ダイス２の穴５に嵌合固定された刻印版６により、ローレット模様Ｂ域内の円周上の２個所に商標、品番や図柄などが刻印されるもので（図５）、この際両丸形ダイス２，３は同期回転されているので、刻印個所は他方の丸形ダイス３の穴５に合致して潰されることなく刻設される。
【００１５】
すなわち、直径３０ｍｍの被加工物１の外周面１ａにおける円周上の等位置となる２個所に、直径１２０ｍｍの丸形ダイス２，３で刻印加工をする例にあっては、丸形ダイス２，３の回転軸心２ａ，３ａを中心として等円弧角４５°となる外周面上の各部位（円弧寸法４７．１ｍｍ）８個所に方形の穴５を設けることとなる（図１、２）。
【００１６】
勿論刻印個所数や位置及び刻印形状すなわち丸形ダイス２，３に凹設された穴５の個数、位置、形状は任意であり、また刻印を要しない場合は、各穴５に嵌合固定された刻印版６を取り外すことにより、ローレット目Ａが省略された穴５部分（省略部２ｂ，３ｂ）がローレット模様Ｂ域内において無模様部１ｂとして表出され、この穴５（省略部２ｂ，３ｂ）の形状、大きさや配置を考慮することにより、これがローレット模様Ｂ域における柄ともなるもので（図７）、これは、穴５を凹設することなく、丸形ダイス２，３に周設されたローレット目Ａの所望個所を所望形状に省略（削除）することによっても可能である。
【００１７】
前記のごとくこの実施例のローレット加工装置によれば、ローレット加工時における両丸形ダイス２，３と被加工面１の周面接触回転動にあって、両丸形ダイス２，３の同期回転に伴ない、被加工物１の外周面１ａ上の所定個所と合致する各丸形ダイス２，３の外周面上の部位に、前記所定個所をローレット模様がない無模様部１ｂにすることとなると共に、ローレット目を省略（削除）した省略部２ａ，３ａとなる穴５が凹設されており、そしてこの省略部２ａ，３ａである穴５は、商標、商品番号や図柄などの刻印版６が配設可能に構成され、一方の丸形ダイス２の穴５に刻印版６を配設固定して被加工物１を加工するものであるから、被加工物の外周面にローレット模様を形成すると共に、このローレット模様域内に商標などを刻印表示することができるのみか、図柄表示も可能であり、更に刻印版を取外した状態で加工することにより、ローレット模様域内に無模様個所が表出され、これが柄ともなるものであり、しかも所望の形状、大きさ、配置の刻印表示や無模様の形成も可能となるものである。
【図面の簡単な説明】
【００１８】
【図１】ローレット加工装置の正面図。
【図２】ローレット加工装置の平面図。
【図３】穴部位の正面断面図。
【図４】図３の側面断面図。
【図５】ローレット模様域内に刻印した状態の被加工物の正面図。
【図６】図５の側面図。
【図７】ローレット模様域内に無模様柄を形成した状態の被加工物の正面図。
【符号の説明】
【００１９】
１          被加工物
１ａ        外周面
１ｂ        無模様部
２，３      丸形ダイス
２ａ，３ａ  回転軸心
２ｂ，３ｂ  省略部
２ｃ，３ｃ  挿入孔
２ｄ，３ｄ  ネジ孔
４          支持台
５          穴
６          刻印版
７          止めネジ
Ａ          ローレット目
Ｂ          ローレット模様
Ｃ          商標，品番，図柄など
【図１】
0004744094.tif 000002
【図２】
0004744094.tif 000003
【図３】
0004744094.tif 000004
【図４】
0004744094.tif 000005
【図５】
0004744094.tif 000006
【図６】
0004744094.tif 000007
【図７】
0004744094.tif 000008